(57)【特許請求の範囲】
【請求項１】
フィルムを挿入するフィルム挿入部と、
挿入された前記フィルムを搬送経路に沿って搬送させる搬送機構と、
前記搬送経路の終端部に設けられたフィルム巻き取り機構とを備えたフィルム搬送ユニットにおいて、
前記フィルム巻き取り機構は、
前記フィルムを巻き取る巻き取り用ドラムと、
前記巻き取り用ドラムに圧着し、前記フィルムを前記巻き取り用ドラムに巻き取られる方向に案内する第１圧着ローラと、
前記巻き取り用ドラムに圧着し、前記第１圧着ローラの搬送経路上流側に設けられた第２圧着ローラと、
前記第１圧着ローラの前記巻き取り用ドラムとの圧着を解除させる可動部材とを備え、
前記可動部材により前記第１圧着ローラの前記巻き取り用ドラムとの圧着状態が解除された状態で、前記第２圧着ローラは前記巻き取り用ドラムと圧着状態であり、これらの圧着状態の前記第２圧着ローラと前記巻き取り用ドラムとの協働により、前記フィルムを前記搬送経路外に排出することを可能にしたことを特徴とするフィルム搬送ユニット。
【請求項２】
前記可動部材は、前記第１圧着ローラの搬送経路の下流側に設けられ、前記フィルムが前記巻き取り用ドラムに巻き取られる方向に案内するガイド部材からなり、
前記ガイド部材は、前記フィルムをガイド可能な第１位置と、前記フィルムをガイドしない第２位置との間を移動可能に構成され、前記ガイド部材の第２位置への移動に連動して、前記第１圧着ローラの前記巻き取り用ドラムとの圧着を解除させることを特徴とする請求項１に記載のフィルム搬送ユニット。
【請求項３】
前記ガイド部材にはカムが一体的に形成されており、前記ガイド部材の前記第２位置への移動により、前記第１圧着ローラの支持軸を持ち上げるように構成されていることを特徴とする請求項２に記載のフィルム搬送ユニット。
【発明の詳細な説明】
【０００１】
【発明の属する技術分野】
本発明は、フィルムを挿入するフィルム挿入部と、挿入された前記フィルムを搬送経路に沿って搬送させる搬送機構と、前記搬送経路の終端部に設けられたフィルム巻き取り機構とを備えたフィルム搬送ユニットに関する。
【０００２】
【従来の技術】
図７は従来技術に係るフィルム搬送ユニット（ネガキャリア）の断面を示す模式図である。このユニットはフィルム１を挿入するためのフィルム挿入部１００と、フィルム１を搬送経路に沿って搬送させるためのフィルム搬送機構１０１と、開口部１０２ａを備えてフィルム１の画像コマを位置決めするためのネガマスク１０２と、搬送経路の終端部に設けられたフィルム巻き取り機構１０３とを備えている。フィルム搬送機構１０１は、搬送経路に沿って搬送ローラ対１０１ａ，１０１ｂ，１０１ｃを備えている。
【０００３】
フィルム巻き取り機構１０３は、フィルム１を巻き付けるための巻き取りドラム１０４と、巻き取りドラム１０４に圧着する圧着ローラ１０５と、圧着ローラ１０５の搬送方向下流側に設けられてフィルム１を巻き取りドラム１０４に巻き付けるべく案内する固定ガイド１０６と、固定ガイド１０６のさらに搬送方向下流側に設けられたもう一つの圧着ローラ１０７とを備えている。圧着ローラ１０５は、軸心１０５ａ周りに揺動可能にレバー１０５ｂに支持され、圧着ローラ１０７は、軸心１０７ａ周りに揺動可能にレバー１０７ｂに支持されている。圧着ローラ１０５，１０７は不図示のばねにより巻き取りドラムに圧着するように付勢されている。
【０００４】
このフィルム搬送ユニットの作動に付いて簡単に説明する。まず、フィルム挿入部１００からフィルム１を挿入する。挿入されたフィルム１はフィルム搬送機構１０１によって矢印Ａ方向に搬送され、現像済みの画像コマをネガマスク１０２の開口部１０２ａに順番に位置決めして、画像コマをスキャナー（不図示）により読み取っていく。スキャナーで画像コマを読み取ると、これをシミュレート画像コマとしてモニターに表示させ、オペレータは必要に応じて色や露出時間などの補正情報を入力して適切な画像が印画紙に焼き付けられるようにしている。
【０００５】
ネガマスク１０２を通過したフィルム１はフィルム巻き取り機構１０３の巻き取りドラム１０４に巻き取られていく。全部の画像コマの読み取りが完了すると、今度は巻き取りドラム１０４に巻き込まれたフィルム１を逆に矢印Ｂ方向にフィルム搬送機構１０１により搬送し、フィルム挿入部１００からフィルム１を排出させる方向に搬送する。次に、再びフィルム１を矢印Ａ方向に搬送させる。そして、開口部１０２ａにフィルム１の画像コマを位置決めし、印画紙に画像コマを順番に焼き付けていく。この焼付処理の際に、さきほど入力された補正情報が考慮されて適切なプリントが作成される。ネガマスク１０２を通過したフィルム１は再び巻き取りドラム１０４に巻き取られていく。全部の画像コマの焼付露光が完了すると、巻き取りドラム１０４に巻き取られたフィルム１を矢印Ｂ方向に搬送させて、フィルム１をフィルム挿入部１００から排出させる。
【０００６】
【発明が解決しようとする課題】
以上の従来技術の構成によれば、フィルム搬送ユニットに挿入されたフィルム１の処理が完了するまでに搬送経路を２往復することになる。搬送経路を何回もフィルム１を通過させると、フィルム１に傷を発生させる原因となり好ましくない。また、フィルム挿入部１００からフィルム１を排出させる構成だと、焼付露光の終了したフィルム１をわざわざバックさせて排出する必要があり、バックさせるための動作時間が無駄となり処理効率を低下させていた。
【０００７】
また、搬送ローラ対１０１ｃとフィルム巻き取り機構１０３との間にフィルム排出機構を追加すると言う構成も考えられるが、フィルム搬送ユニットの構造が複雑化し、そのためコストアップを招いてしまうので好ましくない。
【０００８】
本発明は上記実情に鑑みてなされたものであり、その目的は、焼付露光の終了したフィルムをバックさせて排出する無駄を無くして、フィルムに傷が発生する機会を減らすと共に処理効率を改善したフィルム搬送ユニットを提供することである。
【０００９】
【課題を解決するための手段】
上記目的を達成するため、本発明に係るフィルム搬送ユニットは、
フィルムを挿入するフィルム挿入部と、挿入された前記フィルムを搬送経路に沿って搬送させる搬送機構と、前記搬送経路の終端部に設けられたフィルム巻き取り機構とを備えており、
前記フィルム巻き取り機構は、前記フィルムを巻き取る巻き取り用ドラムと、前記巻き取り用ドラムに圧着し、前記フィルムを前記巻き取り用ドラムに巻き取られる方向に案内する第１圧着ローラと、前記巻き取り用ドラムに圧着し、前記第１圧着ローラの搬送経路上流側に設けられた第２圧着ローラと、前記第１圧着ローラの前記巻き取り用ドラムとの圧着を解除させる可動部材とを備え、前記可動部材により前記第１圧着ローラの前記巻き取り用ドラムとの圧着状態が解除された状態で、前記第２圧着ローラは前記巻き取り用ドラムと圧着状態であり、これらの圧着状態の前記第２圧着ローラと前記巻き取り用ドラムとの協働により、前記フィルムを前記搬送経路外に排出することを可能にしたことを特徴とするものである。
【００１０】
これによると、フィルム挿入部から挿入されたフィルムは搬送経路に沿って搬送され、スキャナーによる画像コマの読み取りなどの第１回目の処理をしつつフィルム巻き取り機構の巻き取り用ドラムに巻き取られていく。この時、第１圧着ローラは巻き取り用ドラムに圧着した状態にあり、これによりフィルムを巻き取り用ドラムに送り込んでいく。第１回目の処理がすべて終了すると、巻き取り用ドラムに巻き取られたフィルムを搬送経路に沿ってバックさせてフィルム挿入部のほうへ戻していく。フィルムを戻し終わると、今度はフィルムの画像コマの焼付処理などの第２回目の処理を順に行っていく。
【００１１】
第２回目の処理を行っていくに当たり、第１圧着ローラの巻き取り用ドラムとの圧着状態を解除しておく。これにより、フィルムは巻き取り用ドラムには巻き取られなくなる。その代わりに第２圧着ローラと巻き取り用ドラムとの協働によりフィルムは搬送経路外に排出されるのである。つまり、焼付露光の終了したフィルムを排出させるために、わざわざフィルムをバックさせる必要はなく、焼付処理が終了したフィルムをそのまま同じ方向に搬送すればよいのである。したがって、焼付露光の終了したフィルムをバックさせて排出する無駄を無くすことができ、フィルムに傷が発生する機会を減らすと共に処理効率を改善することができた。
【００１２】
さらにまた、排出機構として巻き取り用ドラムを利用しているので、排出機構として構造を複雑化させずにすみコスト的な利点も生じるものである。
【００１３】
本発明の好適な実施形態として、前記可動部材は、前記第１圧着ローラの搬送経路の下流側に設けられ、前記フィルムが前記巻き取り用ドラムに巻き取られる方向に案内するガイド部材からなり、前記ガイド部材は、前記フィルムをガイド可能な第１位置と、前記フィルムをガイドしない第２位置との間を移動可能に構成され、前記ガイド部材の第２位置への移動に連動して、前記第１圧着ローラの前記巻き取り用ドラムとの圧着を解除させるものがあげられる。
【００１４】
これによると、ガイド部材はフィルムを巻き取り用ドラムに対して案内するために設けられるものであるが、このガイド部材を利用して第１圧着ローラの圧着状態を解除させる構成であるから、いたずらに部品を増やさずにすむと言う利点がある。
【００１５】
具体的には、前記ガイド部材にはカムが一体的に形成されており、前記ガイド部材の前記第２位置への移動により、前記第１圧着ローラの支持軸を持ち上げるように構成されているものがあげられる。この構成によると、第１圧着ローラの支持軸をカムフォロアーとして利用するものであるから、構成を簡素化することができると言う利点がある。
【００１６】
本発明のその他の特徴及び利点に付いては、以下の図面を用いた実施形態の説明から明らかにされるであろう。
【００１７】
【発明の実施の形態】
＜写真焼付装置の全体構成＞
図１は、フィルム搬送ユニットとしてのネガキャリアが用いられる写真焼付装置の全体構成の模式図である。写真焼付装置は、ネガフィルム１（以下、単にフィルムと言う。）の画像コマを印画紙２に焼付露光する焼付露光部１０と、露光済みの印画紙２を現像処理する現像処理部１１と、装置の各部の作動を制御するコントローラ１２とを備えている。コントローラ１２には、各種の制御指示を入力するためのキーボード１３と、スキャナ１５により読み取った画像コマ情報を表示するモニター１４とが接続されている。
【００１８】
焼付処理を行うフィルム１が焼付露光部１０にセットされたネガキャリア１６に挿入されると、フィルム１の画像情報を各コマ毎に順番にスキャナー１５により読み取り、その情報はコントローラ１２に送られる。コントローラ１２は、読み取られたフィルム１の画像情報に基づいて、各画像コマ毎の露光条件を演算して決定する。この決定された露光条件により印画紙３に露光した場合に得られるであろう画像コマをシミュレート画像コマとしてモニター１４に表示する。
【００１９】
写真焼付装置のオペレータは、モニター１４の表示を見て適切な画像が得られないと判断すると、キーボード１３から演算された露光条件の修正指示を入力する。コントローラ１２は、その修正指示に基づいて露光条件を修正し、最終的な露光条件を決定する。その決定された露光条件に基づいて、焼付露光部１０の各部の作動を制御し、印画紙マガジン３から引き出された印画紙２にフィルム１の画像コマを投影露光する。
【００２０】
焼付露光の終了した印画紙２は、現像処理部１１に搬送されて現像処理されフィルム１の各画像コマに対応して１枚づつ切断した状態で排出される。
【００２１】
＜写真焼付装置の各部の構成＞
焼付露光部１０には、後で詳細に説明するネガキャリア１６と、露光用光源４と、露光用光路に、イエロー、シアン、マゼンタの各色のフィルタが出入りすることにより露光用光源４からの照射光の色バランスを調整する調光フィルタ５と、調光フィルタ５で色バランスを調整した光を均一に混色するミラートンネル６と、フィルム１の画像コマを印画紙２上に結像する焼付用レンズ７と、フィルム１の画像コマをスキャナー１５の方向に導く反射ミラー８と、シャッター９と、印画紙２を搬送する搬送ローラ１７と、搬送ローラ１７を駆動するモータ１８とを備えている。また、焼付用レンズ７と反射ミラー８とは１つのユニット１９になっており、このユニット１９全体が矢印Ｃ方向に移動可能に構成されている。スキャナー１５により画像コマを読み取るときにはユニット１９を図１の右側に移動させ、反射ミラー８を光路中に臨ませるようにすれば良い。
【００２２】
調光フィルタ５とシャッター９とはコントローラ１２により制御され、コントローラ１２が最終的に決定した露光条件に基づいて、調光フィルタ５の各フィルタの位置や、シャッター９の開放時間すなわち露光時間が制御されるようになっている。また、モータ１８はコントローラ１２の制御によって印画紙２をコマ送りの状態で搬送する。
【００２３】
＜ネガキャリアの構成＞
図２は、ネガキャリアの構成を模式的に示す断面図である。ネガキャリア１６は、搬送経路の上流側に設けられたカートリッジ装填部２０と、フィルム挿入部２１と、フィルム搬送機構と、ネガマスク２２と、搬送経路の最終端部に設けられたフィルム巻き取り機構２３とを備えている。カートリッジ装填部２０には、フィルム１が巻き取られたカートリッジ２４を装填することができる。また、裸のフィルム１を直接フィルム挿入部２１に挿入することもできる。
【００２４】
フィルム搬送機構は、フィルム１を搬送するために駆動ローラ３０，３１，３２と、圧着ローラ３３，３４，３５とを備えている。また、光センサー３６と、搬送経路上には磁気ヘッド装置３７とが設けられている。光センサー３６は、発光素子３６ａと受光素子３６ｂとからなり、フィルム１に記録されている光学データを検出する。磁気ヘッド装置３７は、フィルム１の磁気トラック（不図示）に記録されている磁気データを検出する。なお、磁気ヘッド装置３７は磁気トラックを有するフィルム１を処理する場合に必要とされるものである。ネガマスク２２は、フィルム１の画像コマのうちの印画紙２に焼き付ける領域を規定する開口部２２ａを有している。なお、本発明独特の構成を有するフィルム巻き取り機構２３については後述する。
【００２５】
＜ネガキャリアの詳細構成＞
次に図３，４によりネガキャリア１６の詳細を説明する。ネガキャリア１６は、一対の枠体である上部ユニット４０と下部ユニット４１とを軸４２周りに枢支連結した構成であり、ねじりバネ４３により開き側に付勢されている。図３は、上部ユニット４０と下部ユニット４１とが開いている状態を示し、図４は下部ユニット４１の平面図を示すものである。
【００２６】
搬送経路上に駆動ローラ３０，３１，３２が、フィルム１を搬送するために設けられており、フィルム１の画像形成面が通過する箇所を窪ませて、下部ガイド４４を形成し、フィルム１の幅方向両端部を案内支持する。モータ４６は、駆動ローラ３０，３１，３２をベルト４７を介して駆動する。
【００２７】
下部クリーニングベルト４８は、上部ユニット４０に設けられた上部クリーニングベルト４９と協働してフィルム１の面上のごみを除去する。ファン５０は除去されたごみを吹き飛ばすものである。
【００２８】
カートリッジ装填部２０は、支軸５１周りに回動可能なカートリッジホルダ５２と、カートリッジホルダ５２を開き方向に付勢するねじりバネ５３と、カートリッジホルダ５２を閉じた状態に保持する爪部材５４と、スプール支持軸５５と、遮光扉駆動軸５６とを備えている。カートリッジホルダ５２には、カートリッジ２４を収納する収納部２４ａが形成されている。
【００２９】
上部ユニット４０の詳細は図３に示されている。フィルム１の画像形成面が通過する箇所を窪ませて上部ガイド４５が形成され、下部ガイド４４と共にフィルム１を案内支持する。圧着ローラ３３，３４，３５は、上部ユニット４０と下部ユニット４１とが閉じた状態において、それぞれ駆動ローラ３０，３１，３２と相対する位置に設けられる。また、光センサ３６の発光素子３６ａと相対する位置に受光素子３６ｂが設けられる。
【００３０】
上部ユニット４０と下部ユニット４１とは係合部５７により係合され、この係合部５７は、下部ユニット４１に設けられた引っかけ部５７ａと、上部ユニット４０に設けられた爪部５７ｂにより構成される。
【００３１】
＜フィルム巻き取り機構の構成＞
次に、フィルム巻き取り機構２３の詳細説明を行う。フィルム巻き取り機構２３は、フィルム１を巻き取るための巻き取り用ドラム６０と、巻き取り用ドラム６０に圧着することでフィルム１を巻き取り用ドラム６０に巻き取っていく方向に案内する第１圧着ローラ６１と、第１圧着ローラ６１の搬送経路のすぐ上流側に設けられる第２圧着ローラ６２と、第１圧着ローラ６１の下流側に設けられた可動ガイド部材６３と、固定ガイド部材６４と、搬送経路の最奥部に設けられ巻き取り用ドラム６０に圧着する第３圧着ローラ６５とを備えている。
【００３２】
第１圧着ローラ６１は、搬送幅方向に沿って４つ配置されており、支軸６６周りに揺動可能に支持レバー６７により回転自在に支持されている。支持レバー６７は、不図示のばねにより支軸６６を反時計周りに付勢されている。これにより、第１圧着ローラ６１は巻き取り用ドラム６０に対して圧着された状態となる。第２圧着ローラ６２の搬送幅方向の両端には支軸６２ａが設けられ軸支持体６８に回転自在に支持されている。軸支持体６８は、支軸６６をも支持している。また、第２圧着ローラ６２は不図示のばねにより、常時巻き取り用ドラム６０に対して圧着された状態となっている。さらに、第２圧着ローラ６２の支軸６２ａと干渉しないように支持レバー６７には溝６７ａが形成されている。
【００３３】
可動ガイド部材６３は、支軸６９周りに揺動可能に固定ガイド部材６４に対して支持されており、カム部６３ａと案内面６３ｂとが形成されている。カム部６３ａは、搬送幅方向の両端に形成されており、第１圧着ローラ６１の搬送幅方向両端に形成された支軸６１ａと係合可能に構成されている。可動ガイド部材６３は、モータまたはソレノイド７２により、図２に示される位置と、図２に示される位置から少し時計方向に回動してカム部６３ａが支軸６１ａを持ち上げる位置との間を移動可能に構成されている。案内面６３ｂは、巻き取り用ドラム６０の外周面と同心状の円弧面に形成されている。
【００３４】
固定ガイド部材６４には、フィルム１を案内するための案内面６４ａが形成され、案内面６３ｂと連続した円弧面に形成されている。第３圧着ローラ６５は、搬送幅方向に４つ設けられており、支軸７０周りに回動可能なように、支持レバー７１に支持されている。支持レバー７１は、不図示のばねにより支軸７０を反時計周りに付勢されている。これにより、第３圧着ローラ６５は、巻き取り用ドラム６０に対して圧着した状態となっている。また、支持レバー７１にも案内面７１ａが形成されており、すでに説明した案内面６３ｂ，６４ａと同じ円弧面に形成されている。
【００３５】
＜巻き取り用ドラムの駆動機構＞
図５は、巻き取り用ドラム６０の駆動機構を説明するための図である。この駆動機構は、駆動ローラ３０の連結軸８０の一端部に設けられた第１ベベルギヤ８１と、第１ベベルギヤ８１とかみ合う第２ベベルギヤ８２と、第２ベベルギヤ８２と連結軸８４により連結された第３ベベルギヤ８３と、第３ベベルギヤ８３とかみ合う第４ベベルギヤ８５と、第４ベベルギヤ８５と一体形成された第１平ギヤ８６と、第１平ギヤ８６とかみ合う第２平ギヤ８７と、第２平ギヤ８７とドラム回転軸８８とを接続するフリクションクラッチ８９と、巻き取り用ドラム６０とドラム回転軸８８とを連結するワンウェイクラッチ９０とを備えている。連結軸８０の両端部は一対のベアリング９１，９１により保持されている。駆動ローラ３０は図３に示されるモータ４６により駆動されるから、巻き取り用ドラム６０もモータ４６により駆動されることになる。
【００３６】
フィルム１を巻き取り用ドラム６０にたるみの無いように巻き取るには駆動ローラ３０による単位時間当たりの送り長さよりも、巻き取り用ドラム６０による単位時間当たりの巻き取り長さ（これは巻き取り径により変化する。）が大きくなるように設定する必要がある。この巻き取り長さと送り長さの差を吸収するためにフリクションクラッチ８９を設けている。また、巻き取り用ドラム６０に巻き付いたフィルム１を解いてバックさせる場合には巻き取り用ドラム６０をフリーにしておく必要がある。そのためにワンウェイクラッチ９０を設けているのである。
【００３７】
＜ネガキャリアの作動説明＞
まず、図２においてフィルム挿入部２１に、裸のフィルム１を挿入する。挿入されたフィルム１は矢印Ａ方向に搬送経路に送られる。搬送は駆動ローラ３０，３１，３２により行われる。搬送経路に設けられた光センサー３６と磁気ヘッド装置３７によりフィルム１に記録されたデータを読み取る。次に、フィルム１の各画像コマはネガマスク２２の開口部２２ａで位置決めされ、画像コマの情報をスキャナー１５により順に読み取っていく。このとき、図１に示される反射ミラー８が光路内に進入しており、これにより画像情報の読み取りを可能にしている。
【００３８】
スキャナー１５による読み取りが行われるたびにフィルム１は巻き取り機構２３に順に送られていき、巻き取り用ドラム６０に巻き取られていく。なお、第１圧着ローラ６１は巻き取り用ドラム６０に対して圧着された状態となっており、フィルム１は巻き取り用ドラム６０に強制的に巻き取られていく。
【００３９】
フィルム１の全ての画像コマの読み取りが終了すると、今度はフィルム１をこれまでとは逆方向（矢印Ｂ方向）に搬送させて戻す。この搬送も駆動ローラ３０，３１，３２により行われる。このとき、巻き取り用ドラム６０はワンウェイクラッチ９０の作用によりフリー回転する。したがって、搬送はスムーズに行われる。逆送されたフィルム１はフィルム挿入部２１より排出されていく。
【００４０】
フィルム１の排出動作が終了すると、再びフィルム１を矢印Ａ方向に搬送させていく。なお、この時フィルム巻き取り機構２３は図６に示される状態になっている。つまり、モータ７２により可動ガイド部材６３を時計方向（矢印Ｄ）に少し回動させる。これにより、カム部６３ａが第１圧着ローラ６１の支軸６１ａを持ち上げるように作用する。これにより、第１圧着ローラ６１は支軸６６周りに時計方向（矢印Ｅ）に回動する。これにより、第１圧着ローラ６１は巻き取り用ドラム６０との圧着状態が解除される。なお、第２圧着ローラ６２は巻き取り用ドラム６０とは圧着状態である。
【００４１】
さて、再びＡ方向に送り出されたフィルム１はネガマスク２２の開口部２２ａで位置決めされ、画像コマの焼付露光を順に行っていく。なお、この時は焼き付け用レンズ７が光路内に進入してきている。そして、フィルム巻き取り機構２３に搬送されてきたフィルム１は第２圧着ローラ６２と巻き取り用ドラム６０とに挟持されて、そのままネガキャリア１６の外に排出されていく（図６）。フィルム１が排出されるときの排出速度は駆動ローラ３０の送り速度により決まる。ただし、フィルム１の後端が駆動ローラ３０から離れると、巻き取り用ドラム６０の送り速度により決まる。巻き取り用ドラム６０による送り速度は駆動ローラ３０よりも速くなるように設定されているから、この場合はフィルム１は高速で排出される。
【００４２】
以上のように、焼付露光の終了したフィルム１をわざわざ巻き取り用ドラム６０に巻き取った後、バックさせて排出させる必要はなく、焼付露光が終了したらそのまま同じ方向にフィルム１を搬送することによって、フィルム１を排出することができるのである。つまり、フィルム１を排出するために巻き取り用ドラム６０に巻き取らないので、フィルム１を曲げて搬送する機会を減らすことができ、したがって、傷の発生する機会を減らすことができる。また、従来技術の第７図においては、フィルム１は搬送経路を２往復することになるが、本発明では１往復半ですむ。この点においても、フィルム１に傷の発生する機会を減らすことができる。
【００４３】
＜変形例＞
本実施形態では、裸のフィルム１を処理する場合について説明したが、カートリッジ入りのフィルム１を処理する場合は、フィルム１の後端とカートリッジ内のスプールとの係止を解除する機構を備えることにより、裸のフィルム１と同じようにネガキャリア１６から排出させることができる。
【００４４】
図３に示す実施形態では、ネガキャリア１６にカートリッジ装填部２０が設けられているが、裸のフィルム１を専用に処理する場合には、カートリッジ装填部２０を設けなくても良い。
【図面の簡単な説明】
【図１】写真焼付装置の全体構成の模式図
【図２】ネガキャリアの構成を模式的に示す断面図
【図３】ネガキャリアの上部ユニットと下部ユニットとが開いている状態を示す斜視図
【図４】ネガキャリアの下部ユニットの平面図
【図５】巻き取り用ドラムの駆動機構を示す図
【図６】巻き取り機構の作動した状態を示す図
【図７】従来技術に係るネガキャリアの構成を模式的に示す断面図
【符号の説明】
１      フィルム
１６    ネガキャリア
２０    カートリッジ装填部
２１    フィルム挿入部
２２    ネガマスク
２３    フィルム巻き取り機構
３０，３１，３２        駆動ローラ
６０    巻き取り用ドラム
６１    第１圧着ローラ
６１ａ  支軸
６２    第２圧着ローラ
６３    可動ガイド部材
６３ａ  カム部
【図１】
0004123454.tif 000002
【図２】
0004123454.tif 000003
【図３】
0004123454.tif 000004
【図４】
0004123454.tif 000005
【図５】
0004123454.tif 000006
【図６】
0004123454.tif 000007
【図７】
0004123454.tif 000008